(57)【特許請求の範囲】
【請求項１】
くぼみを有し撮像手段を収容する筐体と、
前記くぼみに収納される非使用状態と前記くぼみから露出した使用状態とが可能であり、前記使用状態において前記筐体が所定の角度になるように前記筐体を支持する脚と、
前記脚にスライド可能に備えられたスライド部材と、
前記スライド部材と一体に移動可能であり前記くぼみの縁に接触する突起部と、
前記突起部を付勢して前記突起部と前記くぼみの縁との間に接触力を生じさせる付勢部材とを備え、
前記脚は、前記突起部と前記くぼみの縁との接触を解除する方向に前記スライド部材をスライドさせた状態で押し圧が加えられたとき、前記非使用状態から前記使用状態になることを特徴とするカメラ。
【請求項２】
請求項１に記載されたカメラであって、
前記脚を前記筐体に対して回転可能に支持する軸を有し、
前記脚は、前記使用状態において前記くぼみから露出する第１部分が前記軸よりも一方側に備えられ、前記使用状態において前記くぼみから露出しない第２部分が他方側に備えられ、
前記突起部は、前記第１部分に備えられ、
前記突起部と前記くぼみの縁との接触を解除する方向に前記スライド部材をスライドさせた状態で、前記第２部分に押し圧が加えられたとき、前記脚が前記非使用状態から前記使用状態になることを特徴とするカメラ。
【請求項３】
請求項１又は請求項２に記載されたカメラであって、
前記突起部にはテーパー面が備えられていることを特徴とするカメラ。
【請求項４】
被写体像を取得する撮像手段と、
前記撮像手段を収容する筐体と、
前記筐体に設けられ、前記筐体の角度を調整する脚と、
前記脚にスライド可能に支持されたスライド部材と、
前記スライド部材に連結され、前記スライド部材と一体に移動可能であり、前記筐体のくぼみの開口縁に接触する突起部と、
前記突起部を付勢して前記突起部と前記くぼみの開口縁との間に接触力を生じさせる付勢部材とを備え、
前記脚は前記筐体に設けられたくぼみに収納される非使用状態位置と前記くぼみから前記筐体の外部へ突出する使用状態位置との間を移動可能であり、
前記スライド部材を前記突起部と前記開口縁との接触を解除する方向へスライドさせた状態で前記脚を押すことにより前記脚を前記非使用状態位置から前記使用状態位置に移動させることを特徴とする電子機器。
【発明の詳細な説明】
【技術分野】
【０００１】
この発明は電子機器及びカメラに関する。
【背景技術】
【０００２】
従来、投写方向が水平から所定角度だけ上方を向くようにプロジェクタ機能付きデジタルカメラを載置する載置台が知られている（下記公報参照）。
【先行技術文献】
【特許文献】
【０００３】
【特許文献１】特開２００８−２８８６８２号公報
【発明の概要】
【発明が解決しようとする課題】
【０００４】
カメラ本体の側面に設けられたＵＳＢポートにはパソコン等の周辺機器のＵＳＢポートと接続するためのＵＳＢケーブルが接続される。カメラは載置台に載っているだけなので、誤ってＵＳＢケーブルに手が触れたとき、カメラが転倒しやすい。
【０００５】
この発明はこのような事情に鑑みてなされたもので、その課題は転倒しにくい電子機器及びカメラを提供することである。
【課題を解決するための手段】
【０００６】
上記課題を解決するため請求項１に記載の発明は、くぼみを有し撮像手段を収容する筐体と、前記くぼみに収納される非使用状態と前記くぼみから露出した使用状態とが可能であり、前記使用状態において前記筐体が所定の角度になるように前記筐体を支持する脚と、前記脚にスライド可能に備えられたスライド部材と、前記スライド部材と一体に移動可能であり前記くぼみの縁に接触する突起部と、前記突起部を付勢して前記突起部と前記くぼみの縁との間に接触力を生じさせる付勢部材とを備え、前記脚は、前記突起部と前記くぼみの縁との接触を解除する方向に前記スライド部材をスライドさせた状態で押し圧が加えられたとき、前記非使用状態から前記使用状態になることを特徴とする。
【０００７】
請求項２に記載の発明は、請求項１に記載されたカメラであって、前記脚を前記筐体に対して回転可能に支持する軸を有し、前記脚は、前記使用状態において前記くぼみから露出する第１部分が前記軸よりも一方側に備えられ、前記使用状態において前記くぼみから露出しない第２部分が他方側に備えられ、前記突起部は、前記第１部分に備えられ、前記突起部と前記くぼみの縁との接触を解除する方向に前記スライド部材をスライドさせた状態で、前記第２部分に押し圧が加えられたとき、前記脚が前記非使用状態から前記使用状態になることを特徴とする。
【０００８】
請求項３に記載の発明は、請求項１又は請求項２に記載されたカメラであって、前記突起部にはテーパー面が備えられていることを特徴とする。
【０００９】
請求項４に記載の発明は、被写体像を取得する撮像手段と、前記撮像手段を収容する筐体と、前記筐体に設けられ、前記筐体の角度を調整する脚と、前記脚にスライド可能に支持されたスライド部材と、前記スライド部材に連結され、前記スライド部材と一体に移動可能であり、前記筐体のくぼみの開口縁に接触する突起部と、前記突起部を付勢して前記突起部と前記くぼみの開口縁との間に接触力を生じさせる付勢部材とを備え、前記脚は前記筐体に設けられたくぼみに収納される非使用状態位置と前記くぼみから前記筐体の外部へ突出する使用状態位置との間を移動可能であり、前記スライド部材を前記突起部と前記開口縁との接触を解除する方向へスライドさせた状態で前記脚を押すことにより前記脚を前記非使用状態位置から前記使用状態位置に移動させることを特徴とする。
【発明の効果】
【００１５】
この発明によれば、電子機器を転倒しにくくすることができる。
【図面の簡単な説明】
【００１６】
【図１】図１はこの発明の一実施形態に係るカメラの正面図である。
【図２】図２はカメラを底面側から見た斜視図である。
【図３】図３は図２のIII−III線に沿う断面を示す概念図である。
【図４】図４は電池蓋を開けた状態を示すカメラ底面の部分拡大図である。
【図５】図５はプロジェクタ脚を非使用状態位置から使用状態位置に切り替えるときのカメラの動作を示すフローチャートである。
【図６】図６（ａ），（ｂ）はプロジェクタ脚の操作方法を説明するプロジェクタ脚４の拡大図である。
【発明を実施するための形態】
【００１７】
以下、この発明の実施の形態を図面に基づいて説明する。
【００１８】
図１はこの発明の一実施形態に係るカメラ１００の正面図、図２はカメラ１００を底面側から見た斜視図、図３は図２のIII−III線に沿う断面を示す概念図、図４は電池蓋５を開けた状態を示すカメラ底面６Ｂの部分拡大図である。
【００１９】
カメラ（電子機器）１００の筐体６の前面６Ａには撮影窓１と投映窓２とが設けられている。
【００２０】
筐体６の上面６Ｃには、シャッタボタン１４と電源スイッチ（図示せず）とプロジェクタスイッチ１６とが設けられている。
【００２１】
筐体６の背面６Ｄには、警告等の文字情報が表示される液晶パネル（警告手段）６０と、リモコン受光部６１と、スピーカ（警告手段）６２と、動画撮影ボタン６３と、撮影モードボタン６４と、再生ボタン６５とが設けられている。なお、液晶パネル６０には例えば撮影待機時にスルー画像や記録画像等が表示される。
【００２２】
なお、図１、図２からわかるように、筐体６の底面６Ｂの面積は、筐体６の正面６Ａの面積や筐体６の背面６Ｄの面積より小さい。
【００２３】
筐体６の底面６Ｂには、くぼみ（図３参照）５０に収納される非使用状態位置とくぼみ５０から筐体６の外部へ突出する使用状態位置との間を移動可能なプロジェクタ脚４が設けられている。プロジェクタ脚４によって、筐体６が設置される設置面（図示せず）に対するプロジェクタユニット（プロジェクタ）３０の投映光路の角度が調整される。
【００２４】
プロジェクタ脚４はほぼ平板形状であり、軸１１を介して筐体６に回転可能に支持されている。プロジェクタ脚４にはその表面に沿ってスライド可能なプロジェクタ脚ロックレバー（スライド部材）１５が配置されている。プロジェクタ脚ロックレバー１５に、プロジェクタ脚ロックレバー１５と一体に移動可能な突起部９が設けられている。突起部９は圧縮バネ（付勢部材）１２によってプロジェクタ脚４から突出するように付勢され、くぼみ５０の開口縁５１に接触する。
【００２５】
また、底面６Ｂには、プロジェクタ脚４の他に、三脚を取り付けるための三脚ネジ穴３とくぼみ５０に隣接する電池収容部７０に収容された電池７１を交換可能にする電池蓋（蓋）５とが設けられている。電池蓋５は軸部５ａを回転中心として脚４側へ開く（図４参照）。
【００２６】
筐体６内には、撮影窓１を介して被写体像を取得する図示しないカメラユニット（撮像手段）２０と、投映窓２から投写光をスクリーン等の投写面へ向けて投写する図示しないプロジェクタユニット３０と、カメラユニット２０とプロジェクタユニット３０との動作を制御する制御回路（制御手段）４０と、プロジェクタ脚４が使用状態位置にあるか否かを検出する感圧式センサ（状態検出手段）１０とが配置されている。
【００２７】
制御回路４０は、感圧式センサ１０によってプロジェクタ脚４が使用状態にあると検出されたとき、プロジェクタ脚４がくぼみ５０から筐体６の外部へ突出する使用状態位置にあることを警告する音をスピーカ６２から出力させたり、液晶パネル６０に警告用の画像を表示させる。
【００２８】
感圧式センサ１０は、プロジェクタ脚４が使用状態位置にあるか否かを検出する。
図５はプロジェクタ脚４を非使用状態位置から使用状態位置に移動させるときのカメラ１００の動作を示すフローチャート、図６（ａ），（ｂ）はプロジェクタ脚４の操作方法を説明するプロジェクタ脚４の拡大図である。図５においてＳ１〜Ｓ３は各処理ステップを示す。また、図６（ａ）はプロジェクタ脚４を非使用状態位置から使用状態位置に切り替えるときの操作方法を示し、図６（ｂ）はプロジェクタ脚４を使用状態位置から非使用状態位置に切り替えるときの手順を示す。
【００２９】
プロジェクタ脚４を非使用状態位置から使用状態位置に切り替えるには、非使用状態位置にあるプロジェクタ脚ロックレバー１５を突起部９とくぼみ５０の開口縁５１との接触を解除する方向（図６（ａ）の矢印１に示す方向）へスライドさせ、その状態のままプロジェクタ脚４（図５のステップＳ１のＰＪ姿勢保持脚）のスライド方向先端近傍を図６（ａ）の矢印２に示す方向（図３の矢印で示す方向）へ押し込む（Ｓ１）。
【００３０】
その結果、プロジェクタ脚４が押され、プロジェクタ脚４が非使用状態位置から使用状態位置に切り替わったことが感圧式センサ１０で検出される（Ｓ２）。
【００３１】
また、プロジェクタ脚４がくぼみ５０から筐体６の外部へ突出する使用状態位置にあることを警告する音がスピーカ６２から出力されたり、液晶パネル６０に警告用の画像が表示されたりする（Ｓ３）。
【００３２】
これに対し、プロジェクタ脚４を使用状態位置から非使用状態位置に切り替えるには、プロジェクタ脚ロックレバー１５を突起部９とくぼみ５０の開口縁５１との接触を解除する方向（図６（ｂ）の矢印３に示す方向）へスライドさせ、その状態のままロジェクタ脚４のスライド方向後端近傍を図６（ｂ）の矢印４に示す方向へ押し込めばよい。
【００３３】
プロジェクタ脚４を使用状態位置に切り替えたカメラ１００（筐体６）を例えば図示しない机の上面（設置面）に設置したとき、机の上面に対して底面６Ｂが傾き、プロジェクタユニット３０の投映光路の角度も変化し、その角度が一定（この実施形態では１０°）に保持される。そのため、投映される画像の全体が投映面上に投映される。
【００３４】
また、使用状態位置にあるプロジェクタ脚４が所定の力（０．４〜０．８Ｎ）で非使用状態位置側へ押されたとき（又はプロジェクタ脚４が使用状態位置にあるとき、カメラ１００の上面６Ｃが所定の力で押されたとき）、プロジェクタ脚４は圧縮ばね１２の付勢力に抗して使用状態位置から非使用状態位置に切り替わる。このとき、突起部９の先端部にくぼみ５０の開口縁５１に接触するテーパ面９ａ（図３参照）が形成されているため、プロジェクタ脚４は所定の力で押されたとき、スムーズに非使用状態位置に切り替わる。
【００３５】
更に、電池蓋５をプロジェクタ脚４側へ開き、電池蓋５によって使用状態位置にあるプロジェクタ脚４を所定値（０．４〜０．８Ｎ）以上の力で押したとき、プロジェクタ脚４は、圧縮ばね１２の付勢力に抗して使用状態位置から非使用状態位置に切り替わる。
【００３６】
この実施形態によれば、筐体６にプロジェクタ脚４が設けられているので、ＵＳＢケーブルに手が触れたとしても、カメラ１００が転倒しにくい。また、プロジェクタ脚４が使用状態位置にあるとき、筐体６の三脚への固定が警告されるので、誤って三脚を装着することによるプロジェクタ脚４や電池蓋５の破損を防止することができる。更に、電池蓋５が開かれたとき、使用状態位置にあるプロジェクタ脚４が電池蓋５によって非使用状態位置に移動するので、プロジェクタ脚４や電池蓋５の破損を防止することができる。
【符号の説明】
【００３７】
４：プロジェクタ脚（脚）、５：電池蓋（蓋）、６：筐体、６Ｂ：底面、９：突起部、１０：感圧式センサ（状態検出手段）、１２：圧縮バネ（付勢部材）、１５：プロジェクタ脚ロックレバー（スライド部材）、２０：カメラユニット（撮像手段）、３０：プロジェクタユニット（プロジェクタ）、４０：制御回路（制御手段）、５０：くぼみ、５１：開口縁、６０：液晶パネル（警告手段）、６２：スピーカ（警告手段）、７０：電池収容部、７１：電池、１００：カメラ（電子機器）。
【図１】
0005660520.tif 000002
【図２】
0005660520.tif 000003
【図３】
0005660520.tif 000004
【図４】
0005660520.tif 000005
【図５】
0005660520.tif 000006
【図６】
0005660520.tif 000007